(57)【特許請求の範囲】
【請求項１】
上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列の同段位におけるペアーが成立するポジションには紹介者系列の会員の獲得した会員が自動的に配置されるようにした２系列マルチレベルマーケティング組織構造システムにおけるコンピュタープログラムにおいて、上記上位会員が登録されると、登録された上位会員に関する情報をコンピュター内に入力して記録し、該上位会員のポジションとその直下左右ポジションの一方又は両方の間にあらたにＯＦＦ状態のポジションが追加され、上述のように上位会員の獲得した会員が紹介者系列に配置されると、紹介者系列における獲得した会員の有無や進展状況を検索し、上記紹介者系列における会員の段数やポジションの数があらかじめ設定した条件を超えるか否かをチェックし、会員紹介者数が設定した条件以上となると、上記ＯＦＦ状態のポジションをＯＮ状態として該ポジションより新たな系列を分岐させ、該系列のうち一方向系列を上位会員の紹介者系列とする２系列マルチレベルマーケティング組織構築システムにおけるコンピュタープログラム。
【請求項２】
上位会員の紹介者系列の同段位においてペアーが成立するポジションには紹介者系列の会員の獲得した会員を配置すると、ボーナスを発生させる請求項１記載のコンピュタープログラム。
【請求項３】
一方向系列が左系列である請求項１記載のコンピュタープログラム。
【発明の詳細な説明】
【技術分野】  この発明は、２系列マルチレベルマーケティング（以下、ＭＬＭと記す）組織構築システムに関する。
【背景技術】  従来のＭＬＭの組織構築方法としては、紹介者の直下のポジションに当該紹介者に直接紹介された会員を配置して組織の拡充を図る方法があるが、この方法では紹介者を出せない会員が生じた場合にはそのダウンラインは停止し、組織の拡充を図ることができないという欠点がある。
一方、利益還元型のバイナリ・システムと称する２方向ＭＬＭの組織構築方法は会員のダウンラインに２系列しか紹介者のラインが作れないという制限を設けたシステムであり、仮に第１番目の会員が他に２人の会員を紹介し、更に３人目の紹介者が発生した場合、既に登録されているダウンラインの２人の下に紹介者をつけるというシステムである（特開２００２−２５９７８４，特開２００２−２５９７８６，特開２００２−２５９７８７，特開２００２−３２９０５２，特開２００３−１２２８８３）。
しかし、このシステムは最初の会員に紹介者が存在しなくても、自動的に上流の方からの紹介者が自己のダウンラインに降りて配置されるというシステムであり、当然組織が大きくなるにつれて組織の下部においては２系列のダウンラインが横方向に倍々式に拡大してしまう欠点がある。
これに対して、上述のバイナリ・システムの改良として上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者列の同段位においてペアーが成立するポジションには紹介者系列の会員の獲得した会員が自動的に配置されるようにした２系列マルチレベルマーケティング組織構造システムが提案されている。
これを図４に従って説明すると、上位会員Ａのポジションの直下左ポジションより派出される左系列を上位会員Ａの第１紹介者系列５とし、上位会員Ａのポジションの直下右ポジションより派出される左系列を上位会員Ａの第２紹介者系列６とし、第１紹介者系列５乃至第２紹介者系列６の各ポジションから派出される右系列をそのポジションに直上段位のポジションにある会員の獲得した会員を配置する短系列７，…とする。
第１紹介者系列５乃至第２紹介者系列６の各ポジションには各紹介者列の会員の獲得した会員が配置されるが、その配置順序は例えば上位会員Ａの最初に獲得した会員を第１紹介者系列５のポジションに配置し、次に上位会員Ａの獲得した会員は第２紹介者系列６のポジションに配置し、更に次に上位会員Ａの獲得した会員は第１紹介者系列５のポジションに配置するようにして各紹介者列の会員の獲得した会員が第１紹介者系列５乃至第２紹介者系列６の各ポジションに配置され、上位会員Ａの第１紹介者列５乃至第２紹介者系列６の同段位においてペアーが成立するポジションに会員が配置された段階でボーナスを発生させる。
なお、第１紹介者系列５乃至第２紹介者系列６の最下位段の一方のポジションに会員が配置され、ペアーとなる他のポジションが空位の場合、次に上位会員Ａが会員を獲得した場合はこの会員を空位ポジションに優先的に配置してボーナスを発生させる。
これを第４図に従って具体的に説明すると、上位会員Ａの紹介により最初にＢを、次にＣを獲得すると、ＢをＡのポジションの直下左のポジションに配置し、ＣをＡのポジションの直下右のポジションに配置して第１回目のボーナスを発生させると共に、Ｂの左系列には上位会員Ａの第１紹介者系列５を、Ｃの左系列には上位会員Ａの第２紹介者系列６を形成し、上述の配置順序に従って第１紹介者系列５に属する例えばＡ又はＢが獲得したＤはＢの直下の左ポジションに配置し、第２紹介者系列６に属する例えばＡ又はＣが獲得したＥはＣの直下の左ポジションに自動的に配置され、第２回目のボーナスを発生させ、順次上位者が獲得したＧ及びＨ、Ｋ及びＬをそれぞれ第１紹介者系列５及び第２紹介者系列６の同段位の２つのポジションに配置してそれぞれボーナスを発生せしめる。
したがって、このシステムでは組織が拡大すると、例えば第４図における第１紹介者系列５乃至第２紹介者系列６は下段位に拡張されるが、上述のバイナリ・システムのように２系列のダウンラインが横方向に拡張することはない。
特開２００２−２５９７８４，特開２００２−２５９７８６，特開２００２−２５９７８７，特開２００２−３２９０５２，特開２００３−１２２８８３
しかし、このシステムでは第１乃至第２紹介者系列の同段位におけるペアーとなる２つのポジションのうち１つのポジションに会員が配置され、更に他の１つのポジションに獲得された会員が配置されると、ボーナスが発生するものであって、努力して新規会員を多く勧誘登録させた者と、そうでない者とに対して組織構築プログラムによる差を設けていなかった。
即ち、努力した者には、一定の方式に従って加算的収入の伸びが期待されるだけであり、努力に対する加速的な収入の伸びが期待できない。
【発明の開示】
この発明は上記実情に鑑み、上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列の同段位においてペアーが成立するポジションには紹介者系列の会員の獲得した会員が自動的に配置されるようにした２系列マルチレベルマーケティング組織構造システムにおいて、上位会員のポジションとその直下左右ポジションの一方又は両方の間に新たにポジションを設け、上記紹介者系列における獲得した会員を配置したポジションが一定段位に達すると、該ポジションより新たな系列を分岐させ、該系列のうち一方向系列を上位会員の紹介者系列とする２系列マルチレベルマーケティング組織構築システムを提案するものである。
即ち、紹介者系列における獲得した会員を配置したポジションが、あらかじめ設定した段数に達したとき、上位会員のポジションとその直下左右ポジションの間に設けられたポジションより新たな系列を分岐させ、該系列のうち一方向系列を上位会員の紹介者系列とするものである。
したがって、この発明では既存の紹介者系列のポジションには会員が配置されており、これとペアーをなす新たに形成された紹介者系列のポジションに上位会員が獲得した会員が自動的に配置され、ボーナスを発生させるので、上位会員の会員獲得の努力により新たに形成された紹介者系列を加速的に伸張させることができる。
更に、紹介者系列における獲得した会員を配置したポジションが、より厳しく設定した段数に達したとき、上位会員のポジションとその直下左右ポジションの間に設けられた他のポジションより新たに別の系列を分岐させ、該系列のうち一方向系列を上位会員の紹介者系列とすれば、２段階で新たに形成された紹介者系列を加速的に伸張させることができる。
そのために、この発明のソフトウエアにおいては、あらかじめ組織構築プログラムの中の上位会員の直下の左右のポジションを通常は働かないようにしておき、即ちＯＦＦにしておき、紹介者系列における獲得した会員を配置したポジションが一定段位に達すると、その一方のポジションがＯＮとなって働き出すように設定し、このＯＮされたポジションより新たな系列を分岐させ、該系列のうち一方向系列を上位会員の紹介者系列とし、紹介者系列における獲得した会員を配置したポジションがより厳しく設定した段数に達したとき、他方のポジションがＯＮとなって働き出すように設定し、このＯＮされたポジションより新たな系列を分岐させ、該系列のうち一方向系列を上位会員の紹介者系列とする。
発明の効果
したがって、この発明によれば設定条件を越えれば、新規会員一人獲得するだけでボーナスを得ることができ、これにより本人の努力の結果が倍増されて達成されるため、更なる組織構築への意欲を生じさせることができる。
更に、より厳しく設定した下位組織の段数に達したとき、上位会員のポジションとその直下左右ポジションの他方をＯＮにして上述のような組織構築を２段階で実行でき、したがって組織構築への意欲を永続的なものとすることができる。
【図面の簡単な説明】  第１図は、この発明に係る２系列ＭＬＭ組織構築システム装置の説明図、第２図はこの発明に係る２系列ＭＬＭ組織構築プログラムのフローチャート、第３図はこの発明に係る２系列ＭＬＭ組織構築プログラムによる組織構築の一例を示す図、第４図は従来の系列ＭＬＭ組織構築プログラムによる組織構築の一例を示す図
【符号の説明】
１は２系列ＭＬＭ組織構築プログラムを組み込んだメインコンピュータ
２はウェブサーバー
３乃至４はＯＦＦポジション
５は第１紹介者系列
６は第２紹介者系列
７，…短系列
８乃至９は分岐して形成された新たな紹介者系列
【発明を実施するための最良の形態】  上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列の同段位においてペアーが成立するポジションには紹介者系列の会員の獲得した会員が自動的に配置されるようにした２系列マルチレベルマーケティング組織構造システムにおいて、上位会員のポジションとその直下左右ポジションの一方又は両方の間に新たにポジションを設け、該ポジションをＯＦＦにしておき、紹介者系列における獲得した会員を配置したポジションが一定段位に達すると、その一方のポジションがＯＮとなって働き出すように設定し、このＯＮされたポジションより新たな系列を分岐させ、該系列のうち一方向系列を上位会員の紹介者系列とし、紹介者系列における獲得した会員を配置したポジションがより厳しく設定した段数に達したとき、他方のポジションがＯＮとなって働き出すように設定し、このＯＮされたポジションより新たな系列を分岐させ、該系列のうち一方向系列を上位会員の紹介者系列とする。
【実施例】  以下、この発明の実施例を示す。
実施例１
以下、この発明を図示の実施例に基づいて詳細に説明すると、１はこの発明に係る２系列ＭＬＭ組織構築プログラムを組み込んだメインコンピュータ、２はウェブサーバーであり、紹介者を通じて勧誘された人（以下、Ａとする）ディストリビュータとして登録する場合には、メインコンピュータ１に住所、氏名、登録番号、登録料の支払い状況、ボーナスを振り込むための銀行口座情報などのディストリビュータ情報を入力することにより登録され、Ａの組織拡大活動への対応がシステムとして可能となり、また会員はインターネットから組織図の閲覧が可能である。
次に、この発明に係る２系列ＭＬＭ組織構築プログラムのフローチャートを第２図、第３図に従って説明すると、このプログラムは会員登録作業、プログラム実行作業、チャック作業に大別される。
会員登録作業はＡがＭＬＭ組織の一員として登録されると（会員登録開始）、登録される会員に関する情報（個人情報を含む）をコンピュータ１に入力してネットワークシステム内に記録し（会員情報入力）、登録されたＡの直下に２つのＯＦＦポジション３乃至４を追加する（第３図参照）。
ここで、ＯＦＦポジションとはポジションとしては設定されているが、プログラムを実行する場合、これを素通りして下部のダウンラインに繋がる、即ち休眠状態にあるポジションである。
プログラムの実行作業の一例を図３に基づいて説明すると、上位会員Ａの紹介により最初にＢを、次にＣを獲得すると、ＢをＡのポジションの直下左のポジションに配置し、ＣをＡのポジションの直下右のポジションに配置して第１回目のボーナスを発生させると共に、Ｂの左系列には上位会員Ａの第１紹介者系列５を、Ｃの左系列には上位会員Ａの第２紹介者系列６を形成し、第１紹介者系列５乃至第２紹介者系列６の各ポジションから派出される右系列をそのポジションに直上段位のポジションにある会員の獲得した会員を配置する短系列７，…とする。
次に、Ａ又はＢが獲得したＤは第１紹介者系列５のＢのポジションの直下のポジションに配置し、次にＡ又はＣが獲得したＥは第２紹介者系列６のＣのポジションの直下のポジションに自動的に配置され、第２回目のボーナスを発生させ、順次上位者が獲得したＧ及びＨ、Ｋ及びＬをそれぞれ第１紹介者系列５及び第２紹介者系列６の同段位の２つのポジションに配置してそれぞれボーナスを発生せしめる。
チェック作業ではＡの下部に繋がる会員の有無や進展状況を検索し（紹介者情報検索）、Ａの下部に繋がる会員の段数やポジションの数があらかじめ設定した条件（例えば、５０段）を越えるか否かをチェックする（会員紹介数が条件以上か）。
会員紹介数が条件以上でない場合には、チェック作業を終了してプログラム実行作業を続行する。
会員紹介数が条件以上となった場合には先ずＯＦＦポジション３をＯＮにし、次に設定した条件以上となった場合にはＯＦＦポジション４をＯＮにしてチェック作業をプログラム実行作業を続行する。
ポジション３乃至４をＯＮにすることにより下部への繋がりができ、ポジション３からは分岐した新たな紹介者系列８、ポジション４からは分岐した新たな紹介者系列９が形成される。
そして、第１紹介者系列５のポジションには既にＢ、Ｄ〜Ｇ、Ｋが配置されているので、分岐した紹介者系列８のポジションに上位会員Ａが獲得した会員が自動的に配置され、その結果ペアー配置が成立してボーナスが発生する。
同様に、第２紹介者系列６のポジションには既にＣ、Ｅ〜Ｈ、Ｌが配置されているので、分岐した紹介者系列９のポジションに上位会員Ａが獲得した会員が自動的に配置され、その結果ペアー配置が成立し、ボーナスが発生する。
したがって、この発明によれば設定条件を越えれば、新規会員一人獲得するだけでボーナスを得ることができ、これにより本人の努力の結果が倍増されて達成されるため、
【産業上の利用可能性】  以上要するに、この発明によれば上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列の同段位においてペアーが成立するポジションには紹介者系列の会員の獲得した会員が自動的に配置されるようにした２系列マルチレベルマーケティング組織構造システムにおいて、会員獲得に努力した会員にはボーナス収入を加速的に伸ばすことができるシステムを提供する。
【図１】
0004607123.tif 000002
【図２】
0004607123.tif 000003
【図３】
0004607123.tif 000004
【図４】
0004607123.tif 000005